(57)【特許請求の範囲】
【請求項１】
酸化還元対と、イオン液体と、下記の化学式１で示される官能基を有する光架橋型液晶性重合体とを含む光架橋性電解質組成物。
【化１】
0005481171.tif 000006
式中、ｍ＝０または１、ｎ＝１、ｃ＝０または１、Ｘ＝なし，Ｏ，ＣＨ２，Ｎ＝Ｎ，Ｃ＝Ｃ，Ｃ≡Ｃ，ＣＯＯ，またはＯＣＯ、Ｒ１，Ｒ２は、それぞれＨないしはアルキル基，アルキルオキシ基，またはハロゲンを示す。
【請求項２】
請求項１において、酸化還元対が、ヨウ素の酸化還元対である電解質組成物。
【請求項３】
請求項１または請求項２において、イオン液体が、含窒素複素環化合物類、脂環式アミン類、脂肪族アミン類および芳香族アミン類からなる群から選択された少なくとも一種である電解質組成物。
【請求項４】
請求項１〜３のいずれか一項において、光架橋性液晶型重合体とイオン液体との割合が、前者／後者（重量比）＝７／９３〜９０／１０である電解質組成物。
【請求項５】
請求項１〜４のいずれか一項に記載の電解質組成物に光照射して形成された光架橋性電解質。
【請求項６】
請求項５において、照射される光が、波長３８０ｎｍ以下の紫外線を含む電解質。
【請求項７】
一方に受光面を有する光電極と、
この光電極の受光面と相反する側に配設された対向電極と、
これらの２枚の電極により挟み込まれた、請求項５または６に記載の光架橋性電解質と、を備える色素増感型太陽電池。
【発明の詳細な説明】
【技術分野】
【０００１】
本発明は、色素増感型太陽電池に用いられる光架橋性電解質であって、ゲル化ないしは固体化した電解質、および電解質を形成するための光架橋性電解質組成物、さらには、前記電解質を備える色素増感型太陽電池に関する。
【背景技術】
【０００２】
太陽電池は、太陽光エネルギーを直接電気エネルギーに変換する半導体デバイスである。シリコン結晶系を第一世代、アモルファスシリコン系を第二世代、化合物半導体（ＧａＡｓなど）を第三世代とすると、色素増感系が第四世代の太陽電池と言われ、現在注目されている。
【０００３】
一般的に、色素増感型太陽電池は、グレッツエル型電池または湿式太陽電池と呼ばれる。例えば、典型的な色素増感型太陽電池のセルは、透明電極に二酸化チタン粉末を焼き付け、ここにルテニウム錯体などの色素を吸着させた光電極と、この電極と対向して配設される白金や炭素などの対向電極と、これらの２枚の電極により挟み込まれた電解質とで構成される。そして、電解質には、ヨウ素の酸化還元対（レドックスカップル：Ｉ−／Ｉ３−）が用いられ、その溶媒としてカーボネート系、ニトリル系の有機溶媒が使用されている。
【０００４】
このような色素増感型太陽電池では、まず、電池に入射した光が二酸化チタンに吸着された色素を励起し、次いで励起された色素から二酸化チタンに電子が注入される。その結果、色素は酸化体となり、電解質中の還元体（Ｉ−）から電子を受け取り、色素の酸化体は基底状態に戻る。そして、電解質中の還元体は酸化体（Ｉ３−）となり、この電解質中の酸化体は、対向電極で再び電子を受け取り還元体（Ｉ−）に戻ることができる。このようにして、色素増感型太陽電池では電子が両電極間をサイクルすることにより光起電力を生じている。
【０００５】
しかしながら、このような液状の電解質では、液漏れが生じたり、溶媒が蒸発することによって電池性能が低下してしまう。したがって、色素増感型太陽電池の耐久性を向上するためには、電解液の液漏れや、その溶媒の蒸発を防ぐ必要がある。そして、このような問題を防ぐため、太陽電池には煩雑な封止構造が求められる。しかしながら、電解液の液漏れや溶媒の蒸発を防ぐための封止構造は生産上不利であり、この観点から、電解質を固体化する技術開発が進められている。
【０００６】
電解質をゲル化する方法としては、物理架橋型、化学架橋型が挙げられる。物理架橋型は、ポリアクリロニトリルや自己組織化ゲル化剤を用いるもので、高温雰囲気下で液状としセルに注入し、常温雰囲気下でゲル化する性質を利用している。しかし、このような物理架橋型ゲルは、温度が高くなると流動性が高くなるため液漏れを生じる恐れがある。
【０００７】
一方、化学架橋型では、電解質溶液にアクリル基やメタクリル基を有するモノマーやオリゴマーとラジカル重合剤とを加えて溶解し、セルに注入後、ラジカル重合する方法がとられる。しかしながら、色素増感型太陽電池に適用される電解質の場合には、ヨウ素が重合禁止剤となるため十分に架橋が進まないという問題がある。
【０００８】
このため、W.Kubo, Y.Makimoto, T.Kitamura, Y.Wada, S.Yanagida, Chem.Lett., 948(2002)には、電解質をゲル化した後にヨウ素を導入する方法が提案されているが、この方法では製造法が煩雑となるだけでなく、電解質中のヨウ素の拡散速度が遅くなってしまうため、起電力に劣る。
【先行技術文献】
【非特許文献】
【０００９】
【非特許文献１】W.Kubo, Y.Makimoto, T.Kitamura, Y.Wada, S.Yanagida, Chem.Lett., 948(2002)
【発明の概要】
【発明が解決しようとする課題】
【００１０】
このような従来技術の課題に鑑み、本発明の目的は、色素増感型太陽電池の電解質をゲル化、固体化するのに有効な電解質組成物を提供するものである。
本発明の他の目的は、このような電解質組成物を用いた色素増感型太陽電池を提供するものである。
【課題を解決するための手段】
【００１１】
本発明者は、前記課題を達成するため鋭意研究を行った結果、（ｉ）後述する化学式１で示される官能基を含有する高分子は、ヨウ素などの酸化還元対の存在下でも、光架橋反応を進行することができ、（ｉｉ）そしてこのような光架橋反応でゲル化または固体化した電解質は高温雰囲気下でも流動が抑えられ、優れた耐久性を色素増感型太陽電池に対して付与できること、（ｉｉｉ）さらにそのような色素増感型太陽電池は光起電力にも優れることを見出し、本発明を完成した。
【００１２】
すなわち、本発明は、酸化還元対と、イオン液体と、下記の化学式１で示される官能基を有する光架橋型液晶性重合体とを含む光架橋性電解質組成物である。
【００１３】
【化１】
0005481171.tif 000002
【００１４】
式中、ｍ＝０または１、ｎ＝１〜３、ｃ＝０または１、Ｘ＝なし，Ｏ，ＣＨ２，Ｎ＝Ｎ，Ｃ＝Ｃ，Ｃ≡Ｃ，ＣＯＯ，またはＯＣＯ、Ｒ１，Ｒ２は、それぞれＨないしはアルキル基，アルキルオキシ基，またはハロゲンを示す。
【００１５】
例えば、前記酸化還元対は、ヨウ素などの酸化還元対であってもよく、前記イオン液体は、含窒素複素環化合物類、脂環式アミン類、脂肪族アミン類、芳香族アミン類などであってもよい。
【００１６】
また、本発明は、前記電解質組成物に光照射（例えば、３８０ｎｍ以下の紫外線照射）して形成された光架橋性電解質をも包含する。
【００１７】
さらに、本発明は、一方に受光面を有する光電極と、この光電極の受光面と相反する側に配設された対向電極と、これらの２枚の電極により挟み込まれた、前記光架橋性電解質と、を備える色素増感型太陽電池についても包含する。
【００１８】
なお、本発明において、「電解質組成物」とは、電池セルに対して封入する前の物質を意味しており、「電解質」とは、電池セルに対して封入された後の物質を意味している。
【発明の効果】
【００１９】
本発明では、特定の官能基を有する重合体を電解質組成物に対して用いるため、ヨウ素などの酸化電子対の存在下であっても光照射により電解質組成物中で光架橋反応を進行することができる。
【００２０】
そして、これによりゲル化または固体化した電解質は、高温雰囲気下でもその流動を抑制することができ、色素増感型太陽電池の耐久性を向上できるとともに、優れた光起電力を太陽電池に付与することができる。
【００２１】
更に、本発明の電解質組成物に紫外線を照射すると、セル特性を向上して、色素増感型太陽電池の光起電流を増強することができる。
【図面の簡単な説明】
【００２２】
【図１】本発明の一実施形態である電解質組成物を含む色素増感型太陽電池を示す断面図である。
【図２】本発明の実施例、比較例における対向電極裏面からの紫外線照射量と光起電流値の関係を示す図である。
【図３】本発明の一実施形態である電解質組成物に紫外線を照射し、偏光顕微鏡を用いて直交ニコル下で観察したときの観察図である。
【発明を実施するための形態】
【００２３】
（色素増感型太陽電池）
図１は、本発明の電解質組成物を有する色素増感型太陽電池の一実施形態を示す断面図である。色素増感型太陽電池１は、受光面１１を有する光電極１０と、この光電極１０の受光面と相反する側に配設された対向電極２０と、これらの２枚の電極により挟み込まれた電解質３０とで概略的に構成される。光電極１０は、ガラスや透明樹脂フィルムなどで形成された透明電極１２と、この透明電極１２の電解質３０側（すなわち、受光面１１と相反する側）に形成された色素吸着層１４とを備えている。色素吸着層では、増感色素を担持可能な金属酸化物（例えば、ＴｉＯ２）多孔質体に対して、ルテニウム錯体などの増感色素を物理的または化学的に吸着させている。一方、対向電極２０は、透明電極２２と、透明電極２２の電解質３０側に形成された導電層２４とを備えている。
【００２４】
（光架橋性電解質組成物）
本発明による電解質組成物は、酸化還元対と、イオン液体と、下記の化学式１で示される官能基を有する光架橋型液晶性重合体とを含んでいる。
【００２５】
（酸化還元対）
酸化還元対としては、一般的に電解質層において用いられているものから適宜選択することができる。具体的には、ヨウ素の酸化還元対や臭素の酸化還元対が好ましく用いられる。ヨウ素の酸化還元対としては、ヨウ素と各種ヨウ化物（例えば、ヨウ化リチウム、ヨウ化ナトリウム、ヨウ化カリウム、ヨウ化カルシウム、ＴＰＡＩ（テトラプロピルアンモニウムヨージド）等）との組み合わせを挙げることができる。また、臭素の酸化還元対としては、臭素と各種臭化物（例えば、臭化リチウム、臭化ナトリウム、臭化カリウム、臭化カルシウム等）との組み合わせを挙げることができる。これらの酸化還元対は、単独で、または二種以上を組み合わせて用いてもよい。
【００２６】
（イオン液体）
イオン液体（常温溶融塩）としては、含窒素複素環化合物類、脂環式アミン類、脂肪族アミン類および芳香族アミン類を挙げる事ができ、これらのイオン液体は、単独で、または二種以上を組み合わせて用いてもよい。
【００２７】
これらのうち、イミダゾリウム系、ピリジウム系、脂環式アミン系、脂肪族アミン系を好適に用いることができ、より好ましくはイミダゾリウム系［例えば、１−Ｃ１−２０アルキル−３−メチルイミダゾリウム、１−Ｃ１−２０アルキル−２，３−ジメチルイミダゾリウム、イミダゾリウムヨージド化合物（例えば、１，２−ジメチル−３−ｎ−プロピルイミダゾリウムヨージド、１−メチル−３−ｎ−プロピルイミダゾリウムヨージド、１−プロピル−３−メチルイミダゾリウムヨージド、１−ブチル−３−メチルイミダゾリウムヨージド、１−ブチル−２，３−ジメチルイミダゾリウムヨージド、１−ヘキシル−３−メチルイミダゾリウムヨージド等）］、特に、酸化還元対としても利用可能である観点から、イミダゾリウムヨージド化合物が好ましい。
【００２８】
（光架橋性液晶型重合体）
本発明で用いられる光架橋性液晶型重合体は、下記の化学式１で示される官能基を有している。
【００２９】
【化２】
0005481171.tif 000003
【００３０】
式中、ｍ＝０または１、ｎ＝１〜３、ｃ＝０または１、Ｘ＝なし，Ｏ，ＣＨ２，Ｎ＝Ｎ，Ｃ＝Ｃ，Ｃ≡Ｃ，ＣＯＯ，またはＯＣＯ、Ｒ１，Ｒ２は、それぞれ同一または異なって、Ｈないしはアルキル基，アルキルオキシ基，またはハロゲン（例えば、塩素、フッ素、臭素など）を示す。
【００３１】
Ｒ１，Ｒ２におけるアルキル基は、直鎖、分岐鎖のいずれであってもよく、炭素数は通常１〜１０程度であり、具体的には、メチル基、エチル基、プロピル基、ｉ−プロピル基、ブチル基、 ｉ−ブチル基、ｔ−ブチル基、ペンチル基、ヘキシル基、ヘプチル基、オクチル基、２−エチルヘキシル基、ノニル基、デシル基などがあげられ、これらのうち、メチル基、エチル基などのＣ１−４アルキル基が好ましい。
【００３２】
Ｒ１，Ｒ２におけるアルキルオキシ基は、直鎖、分岐鎖のいずれであってもよく、炭素数は通常１〜１０程度であり、具体的には、メトキシ基、エトキシ基、プロピルオキシ基、ｉ−プロピルオキシ基、ブトキシ基、ｉ−ブトキシ基、ｔ−ブトキシ基、ペンチルオキシ基、ヘキシルオキシ基、シクロヘキシルオキシ基、ヘプチルオキシ基、オクチルオキシ基、２−エチルヘキシルオキシ基、ノニルオキシ基、デシルオキシ基などがあげられ、これらのうち、メトキシ基、エトキシ基などのＣ１−４アルキルオキシ基が好ましい。
【００３３】
本発明で用いられる光架橋性液晶型重合体は、側鎖末端にカルボキシル基を有し、上記イオン液体に添加することにより塩を生成する化合物である。この重合体では、２つの側鎖末端のカルボキシル基が水素結合により２量化して剛直な構造を形成し液晶性を有するとともに、適当な波長（例えば、３８０ｎｍ以下の紫外線）の光照射により２つの側鎖末端同士の光反応が進行してシクロブタン結合を形成する光架橋性を有する。
【００３４】
この光架橋性液晶型重合体は、例えば、８０〜２５０℃で液晶相を示してもよく、好ましくは１００〜２００℃程度で液晶相を示してもよい。なお、液晶相を示すことは、偏光顕微鏡観察および示差走査熱量測定、Ｘ線回折測定などにより確認できる。
また、光架橋性液晶型重合体は、例えば、ポリスチレン換算の数平均分子量が１５，０００〜４５，０００程度、好ましくは２０，０００〜４０，０００程度であってもよい。
【００３５】
このような光架橋性液晶型重合体は、化学式１で表わされる側鎖（すなわち、感光性基）を含む単量体からなる単一重合体であってもよいし、化学式１で表わされる側鎖を含む単量体であって、異なる種類の単量体からなる共重合体であってもよい。さらには、化学式１で表わされる側鎖を含む単量体に対して、感光性基を含まない側鎖を有する単位を共重合させることも可能であるし、光架橋性液晶型重合体が液晶性を損なわない範囲であれば、液晶性を示さない単量体を共重合してもよい。
【００３６】
電解質組成物中において、光架橋性液晶型重合体の添加量Ｑ（ｗｔ％）は、ヨウ素とイオン液体と光架橋性液晶型重合体重合体の総量（１００ｗｔ％）に対して、例えば、５ｗｔ％＜Ｑ＜９５ｗｔ％であることが望ましい。更には、１０ｗｔ％≦Ｑ≦７５ｗｔ％であることが望ましい。添加量が少ないと、電解質が十分にゲル化ないしは固体化せず液漏れを防ぐことができない場合がある。また、添加量が過剰であるとレドックスカップルの拡散を妨げ、電池特性を低下させてしまう恐れがある。
【００３７】
また、光架橋性液晶型重合体とイオン液体との割合は、例えば、前者／後者（重量比）＝７／９３〜９０／１０程度であってもよく、好ましくは１０／９０〜８５／１５程度であってもよい。
【００３８】
また、本発明の電解質組成物には、必要に応じて種々の添加剤（分散剤、レベリング剤、可塑剤、消泡剤）を含有させてもよい。
【００３９】
（光架橋性電解質）
本発明の電解質組成物で色素増感型太陽電池を作製する場合、電解質組成物から形成された電解質が光電極と対向電極の２枚の電極により挟み込まれる限り、様々な方法を利用することができる。例えば、（ｉ）上記電解質組成物を有機溶媒に溶解する、熱により溶融状態とするなどして、光電極および／または対向電極に塗布し、２つの電極を併せることによりセルを作製してもよい。または、（ｉｉ）対向させた２つの電極の間隙に、上記電解質組成物を注入することによってセルを作製してもよい。
【００４０】
上述の（ｉ）および（ｉｉ）のいずれの場合においても、電解質組成物は、２つの電極の間でゲル化または固体化するため、特に封止手段を設けなくとも電解質の液漏れや溶媒の蒸発を有効に防止することができる。
【００４１】
すなわち、本発明の電解質は、化学式１で示される官能基を含有する高分子が液晶性と光架橋反応性を有するため、太陽電池に対する光照射により光架橋を進行することができ、太陽電池の耐久性を向上することができるだけでなく、優れたセル特性を示すこともできる。
【００４２】
また、必要に応じて、光電極と対向電極の２枚の電極により挟み込まれた電解質に対して、紫外線を照射し、電解質をさらに硬化させてもよい。後述する実施例で示すように、紫外線照射された電解質は、偏光顕微鏡にて直交ニコルで観察すると光抜けが発生することが確認されるとともに、セル特性向上することが確認できた。
【００４３】
このような光抜けは、電解質中に微細なドメインが形成され生じたもので、電解質中に相分離構造が生じていると考えている。相分離構造によって太陽電池特性が向上した事例は、参考文献１〔機能材料，Ｖｏｌ２４，Ｎｏ．１１，６０，シーエムシー出版（２００４）〕にも記載されている。したがって、このような事例と同様に、本発明の電解質でも相分離構造によるセル特性の向上が考えられる。
【実施例】
【００４４】
以下に、実施例に基づいて本発明をより詳細に説明するが、本発明はこれらの実施例によって限定されるものではない。
【００４５】
本発明の実施例において用いた電解質のゲル化剤に関する合成方法を以下に示す。
（単量体１）
エタノール（ナカライテスク（株）製）１５０ｍｌと水１５０ｍｌに、ｔｒａｎｓ−ｐ−クマル酸（東京化成工業（株）製）１００ｇ、６−クロロ−１−ヘキサノール（東京化成工業（株）製）１３０ｇ、水酸化カリウム１００ｇを添加し、還流条件下で７時間攪拌した。反応生成物をエタノールで再結晶して４−（６−ヒドロキシヘキシルオキシ）桂皮酸を得た。この生成物１０ｇ、メタクリル酸４０ｇ、硫酸０．８ｇ、ヒドロキノン０．２ｇ、クロロホルム４０ｍｌを混合し、混合物を８時間攪拌還流させ、このとき脱水反応よって生成される水を、ディーン・スターク管を用いて除去した。反応液をロータリーエバポレーターで濃縮し水２ｌに注ぎ込み、析出した固形分をろ過し、固形分をアセトンで再結晶することにより、下記の化学式２に示される単量体１を合成した。
【００４６】
【化３】
0005481171.tif 000004
【００４７】
（重合体１）
単量体１を１,４−ジオキサン中に２０ｗｔ％の濃度で溶解し、反応開始剤としてＡＩＢＮ（アゾビスイソブチロニトリル）を２ｍｏｌ％添加して、７０℃雰囲気中に１２時間放置し重合した。重合溶液を５倍量のメタノールに注ぎ込み、析出した固形分をろ過して乾燥することにより重合体１（スチレン換算による数平均分子量：３０，０００程度）を得た。この重合体１は１３５℃から１８７℃の温度範囲で液晶相を呈した。
【００４８】
以下は、本発明の電解質組成物を用いて色素増感型太陽電池を作製した実施例である。
（実施例１）
光電極は、次のように作製した。ＩＴＯ（酸化インジウム錫）透明電極膜が形成されたガラス基板（西野田電工（株）製）に、酸化チタンペースト（西野田電工（株）製）を塗布して乾燥した（塗布面積は、６ｃｍ２とした）。次いで、４００℃のホットプレートで熱処理を行いＩＴＯ電極上に酸化チタン膜を形成した。この酸化チタン膜を形成したガラス基板を、ハイビスカス色素（西野田電工（株）製）を抽出した水溶液に１２時間浸漬して、酸化チタン表面に色素を担持させた。
【００４９】
一方、対向電極には、ＩＴＯ透明電極（西野田電工（株）製）が形成されたガラス基板のＩＴＯ透明電極面を鉛筆で塗り潰し、炭素膜を形成したものを用いた。
【００５０】
電解質は、溶媒としてジメチルスルホキシド（ナカライテスク（株）製）を用い、重合体１を３ｗｔ％、１−ブチル−３−メチルイミダゾリウムヨージド（東京化成工業（株）製、以下、ＢＭ−ＩＭＤと記す）を１７ｗｔ％、ヨウ素（東京化成工業（株）製）を０．１ｗｔ％、ヨウ化リチウム（キシダ化学（株）製）を０．１ｗｔ％となるよう調整した。ここで、重合体１とＢＭ−ＩＭＤの重量比は、１５：８５である。
【００５１】
この溶液を、ＩＴＯ透明電極表面に形成した色素を担持させた酸化チタン膜の全面および対向電極の炭素膜の全面に塗布し、それぞれの基板を８５℃のホットプレート上に１５分間静置して溶媒のジメチルスルホキシドを揮発させた。次いで、ホットプレートを１２０℃に設定して、両基板を十分に加温したところで、電解質組成物溶液を塗布した酸化チタン膜面と炭素膜面とをそれぞれ合わせて２枚の基板を圧着した。その後、圧着した基板を放置して室温まで冷却し、セルを作製した。このセルに対して、液漏れや溶媒の蒸発を防ぐための封止機構は特に施さなかったが、得られたセルに電解質の液漏れ、溶媒の蒸発が生じることはなかった。なお、溶媒の蒸発の有無は、目視により、基板間を満たしていた溶媒が明らかに減少していると確認できる場合を「蒸発有り」と判断した。
【００５２】
（実施例２）
実施例１と同様に、光電極、対向電極を作製した。電解質は、溶媒としてジメチルスルホキシド（ナカライテスク（株）製）を用い、重合体１を２ｗｔ％、ＢＭ−ＩＭＤ（東京化成工業（株）製）を１８ｗｔ％、ヨウ素（東京化成工業（株）製）を０．１ｗｔ％、ヨウ化リチウム（キシダ化学（株）製）を０．１ｗｔ％となるよう調整した。ここで、重合体１とＢＭ−ＩＭＤの重量比は、１０：９０である。この溶液を用いて、実施例１と同様にセルを作製した。このセルに対して、液漏れや溶媒の蒸発を防ぐための封止機構は特に施さなかったが、得られたセルに電解質の液漏れ、溶媒の蒸発が生じることはなかった。
【００５３】
（実施例３）
実施例１と同様に、光電極、対向電極を作製した。電解質は、溶媒としてジメチルスルホキシド（ナカライテスク（株）製）を用い、重合体１を１５ｗｔ％、ＢＭ−ＩＭＤ（東京化成工業（株）製）を５ｗｔ％、ヨウ素（東京化成工業（株）製）を０．１ｗｔ％、ヨウ化リチウム（キシダ化学（株）製）を０．１ｗｔ％となるよう調整した。ここで、重合体１とＢＭ−ＩＭＤの重量比は、７．５：２．５である。この溶液を用いて、実施例１と同様にセルを作製した。このセルに対して、液漏れや溶媒の蒸発を防ぐための封止機構は特に施さなかったが、得られたセルに電解質の液漏れ、溶媒の蒸発が生じることはなかった。
【００５４】
（実施例４）
実施例１と同様に、セルを作製し、対向電極裏面から２５０Ｗ高圧水銀灯を用いて紫外線を３．８Ｊ／ｃｍ２照射した。別途、実施例１の電解質組成のジメチルスルホキド溶液を対向電極に塗布して乾燥した膜に、紫外線を照射すると、高温雰囲気下（１２０℃）において流動性が抑制されていることが確認された。
このように作製されたセルでは、このセルに対して、液漏れや溶媒の蒸発を防ぐための封止機構は特に施さなかったが、得られたセルに電解質の液漏れ、溶媒の蒸発が生じることはなかった。
【００５５】
（比較例１）
実施例１と同様に、光電極、対向電極を作製し、これら２つの電極を対向させ、クリップで固定した。次いで、２つの電極の間隙に、電解質溶液（西野田電工（株）製）を注入して比較例１のセルを作製した。実施例１と同様に、液漏れや溶媒の蒸発を防ぐための封止機構は施していない。電解質の液漏れ、溶媒の蒸発が生じていることが確認された。特にこの場合、基板間を満たしていた溶媒が極度に減少したため、基板表面が乾燥していた。
【００５６】
（比較例２）
実施例１と同様に、光電極、対向電極を作製し、これら２つの電極を対向させ、クリップで固定した。次いで、２つの電極の間隙に、ＢＭ−ＩＭＤ（東京化成工業（株）製）に、ヨウ素（東京化成工業（株）製）を０．５ｗｔ％、ヨウ化リチウム（キシダ化学（株）製）を０．５ｗｔ％を溶解して調整した電解質を注入して比較例２のセルを作製した。実施例１と同様に、液漏れや溶媒の蒸発を防ぐための封止機構は施していない。電解質の液漏れが生じていることが確認された。
【００５７】
（比較例３）
実施例１と同様に、光電極、対向電極を作製した。電解質は、溶媒としてジメチルスルホキシド（ナカライテスク（株）製）を用い、重合体１を２０ｗｔ％、ヨウ素（東京化成工業（株）製）を０．１ｗｔ％、ヨウ化リチウム（キシダ化学（株）製）を０．１ｗｔ％となるよう調整した。ここで、重合体１とＢＭ−ＩＭＤの重量比は、１０：０である。この溶液を用いて、実施例１と同様にセルを作製した。このセルでは、液漏れや溶媒の蒸発を防ぐための封止機構は特に施さなくとも、電解質の液漏れ、溶媒の蒸発が生じることはなかったが、光起電力は極僅かであった。
【００５８】
（比較例４）
実施例１と同様に、光電極、対向電極を作製した。電解質は、溶媒としてジメチルスルホキシド（ナカライテスク（株）製）を用い、ポリメタクリル酸〔メタクリル酸（東京化成工業（株）製）を予め重合して用いた〕を３ｗｔ％、ＢＭ−ＩＭＤ（東京化成工業（株）製）を１７ｗｔ％、ヨウ素（東京化成工業（株）製）を０．１ｗｔ％、ヨウ化リチウム（キシダ化学（株）製）を０．１ｗｔ％となるよう調整した。ここで、ポリメタクリル酸とＢＭ−ＩＭＤの重量比は、１.５：８.５である。この溶液を用いて、実施例１と同様にセルを作製した。
更に、実施例４と同様に、セルを作製後、対向電極裏面から２５０Ｗ高圧水銀灯を用いて紫外線を３．８Ｊ／ｃｍ２照射した。このセルでは、液漏れや溶媒の蒸発を防ぐための封止機構は特に施さなくとも、電解質の液漏れ、溶媒の蒸発が生じることはなかったが、光起電力は極僅かであった。
【００５９】
実施例、比較例で作製したセルに関して、光起電流、電圧を測定した。光起電流、電圧の測定は、１２Ｗ蛍光灯直下で行い、セル作製後２４時間と１週間との２回にわたって実施した。また、セル作製後１週間に、セルからの液漏れ、溶媒の蒸発の有無についても観察した。表１に、測定観察結果をまとめる。
【００６０】
【表１】
0005481171.tif 000005
【００６１】
表１に示すように、実施例１〜４では、ヨウ素を含んでいても架橋をすすめることができ、セルからの液漏れや溶媒の蒸発は発生しなかった。また、セルを製作した直後だけでなく、１週間後も光起電流の低下はほとんどなく、実施例２および３では光起電流は増加した。
一方、光架橋性液晶型重合体を含まない比較例１および比較例２では、セルからの液漏れや溶媒の蒸発が発生し、耐久性に劣っていた。また、イオン液体を含まない比較例３では、起電力がほとんど見られなかった。
更に、実施例１のセルに対して紫外線照射を行った実施例４では、実施例１と比較して光起電流が増加することが確認できた。
【００６２】
図２に、本発明の電解質組成物を用いたセル（実施例４）とカルボキシル基を有しているが光反応性と液晶性を有さない高分子を添加した電解質を用いたセル（比較例４）に対向電極裏面からの紫外線照射量と光起電流値の関係を示す。図２より、比較例４と比べ、実施例４の電解質組成物を用いたセルは光起電流が大きく増強されることが確認された。また、紫外線照射量が増えるほど、その光起電流は増加した。
【００６３】
また、図３に、実施例４で用いた電解質組成物に紫外線照射し、偏光顕微鏡を用いて直交ニコル下で観察したときの観察図を示す。図３において、領域aは、紫外線照射部、領域ｂは紫外線未照射部である。
【００６４】
図３から、紫外線を照射した領域aでのみ、光り抜けが増強していることが分かる。このような光抜けは、添加した化学式２で示される官能基を含有する高分子の液晶性と光反応性によるものと考えられる。そして、光り抜けが発生してることから、電解質中には、微細なドメインが形成され、相分離構造が生じていることが推測される。
【００６５】
紫外線を照射した実施例４は、実施例１よりも高い光起電流を発生していたが、これは、参考文献１の相分離構造によって太陽電池特性が向上した事例と同様に、光照射により形成される相分離構造が、セル特性を向上するのに起因したのではないかと考えられる。
【００６６】
一方、図示しないが、比較例４のカルボキシル基を有しているが光反応性と液晶性を有さない高分子を添加した電解質では、紫外線照射によってこのような相分離構造が生じることはなく、セル特性が大幅に向上することもなかった。
【産業上の利用可能性】
【００６７】
本発明によれば、容易にゲル化、固体化することが可能な電解質を得ることができるとともに、この電解質を用いた色素増感型太陽電池を得ることができる。
【００６８】
以上のとおり、本発明の好適な実施形態を説明したが、本発明の趣旨を逸脱しない範囲で、種々の追加、変更または削除が可能であり、そのようなものも本発明の範囲内に含まれる。
【符号の説明】
【００６９】
１…色素増感型太陽電池
１０…光電極
１１…受光面
１２，２２…透明電極
１４…色素吸着層
２０…対向電極
２４…導電層
３０…電解質
【図１】
0005481171.tif 000007
【図２】
0005481171.tif 000008
【図３】
0005481171.tif 000009